(57)【要約】【課題】電話網の通信によらず、煩わしい操作を行わない場合にも災害情報を送る。【解決手段】情報を入力するためのキー操作部１２と、予め設定された災害情報或いはキー操作部１２により入力された災害情報に、キー操作部１２による入力の有無情報を付加して送信情報を作成する送信情報作成手段と、電力線とコンタクトするためのコネクタ１５と、電力線とコンタクトした場合に前記送信情報作成手段により作成された送信情報を電力線を介して送信する送信部１４とを具備する。【選択図】図１
2007235325.tif 000002
【特許請求の範囲】
【請求項１】
情報を入力するための入力手段と、
予め設定された情報或いは前記入力手段により入力された情報に基づいて、送信情報を作成する送信情報作成手段と、
電力線とコンタクトするためのコンタクト部と、
電力線とコンタクトした場合に前記送信情報作成手段により作成された送信情報を電力線を介して送信する送信部と
を具備することを特徴とする通信端末。
【請求項２】
前記情報には安否情報が含まれることを特徴とする請求項１記載の通信端末。
【請求項３】
前記情報には住所情報が含まれることを特徴とする請求項１記載の通信端末。
【請求項４】
電力線から到来する信号を受信して災害情報を取り出す検出手段と、
この検出手段により取り出された災害情報をデータベースへ記憶する災害情報制御手段と
を具備することを特徴とする災害センタ装置。
【請求項５】
電力線から到来する信号を受信して災害情報を取り出す検出手段と、
この検出手段により取り出された災害情報について入力手段により入力されたものが含まれるかに基づきスクリーニングを行うスクリーニング手段と、
スクリーニングされた災害情報をデータベースへ記憶する災害情報制御手段と
を具備することを特徴とする災害センタ装置。
【請求項６】
前記スクリーニング手段は、災害情報が入力手段により入力されたものが含まれない場合に、不確実情報とすることを特徴とする請求項５に記載の災害センタ装置。
【請求項７】
災害情報を入力するための入力手段と、予め設定された災害情報或いは前記入力手段により入力された災害情報に基づいて、送信情報を作成する送信情報作成手段と、電力線とコンタクトするためのコンタクト部と、電力線とコンタクトした場合に前記送信情報作成手段により作成された送信情報を電力線を介して送信する送信部とを具備することを特徴とする通信端末と、
前記通信端末から送られ、電力線を介して到来する信号を受信して災害情報を取り出す検出手段と、この検出手段により取り出された災害情報をデータベースへ記憶する災害情報制御手段とを具備する災害センタ装置と
を具備することを特徴とする災害情報管理システム。
【請求項８】
災害情報を入力するための入力手段と、予め設定された災害情報或いは前記入力手段により入力された災害情報に基づいて、送信情報を作成する送信情報作成手段と、電力線とコンタクトするためのコンタクト部と、電力線とコンタクトした場合に前記送信情報作成手段により作成された送信情報を電力線を介して送信する送信部とを具備することを特徴とする通信端末と、
前記通信端末から送られ、電力線を介して到来する信号を受信して災害情報を取り出す検出手段と、この検出手段により取り出された災害情報について入力手段により入力されたものが含まれるか基づきスクリーニングを行うスクリーニング手段と、スクリーニングされた災害情報をデータベースへ記憶する災害情報制御手段とを具備する災害センタ装置と
を具備することを特徴とする災害情報管理システム。
【請求項９】
前記スクリーニング手段は、災害情報が入力手段により入力されたものが含まれない場合に、不確実情報とすることを特徴とする請求項８に記載の災害情報管理システム。
【発明の詳細な説明】
【技術分野】
【０００１】
この発明は、電力線を用いて災害情報を伝える通信端末と、災害時用端末から送られた災害情報を受けて管理する災害センタ装置及び通信端末と災害センタ装置とを含んで構成される災害情報管理システムに関するものである。
【背景技術】
【０００２】
従来、災害時に情報を伝える手段としては、有線や無線の電話網を用いた端末が考えられている。しかしながら、電話網を用いたものでは輻輳により情報を伝えることができなくなる問題がある。また、従来のものでは、伝える情報を入力する操作が煩わしく安否情報を伝える場合にもある程度のキー操作が必要である等の問題があった。
【０００３】
電話網によらずに通信や伝送を行うものとしては、電力線を用いるものがあり、例えば、特許文献１に開示のものにあっては家庭内の家電制御について電力線を用いた通信により制御している。しかしながら、災害時を考慮して簡易な手法にて伝送を行う例は知られていない。
【特許文献１】特開２００２−２１８５６６号公報
【発明の開示】
【発明が解決しようとする課題】
【０００４】
本発明が解決しようとする課題は、輻輳により情報を伝えることができなくなることであり、また、伝える情報を入力する操作が煩わしいということである。本発明では、係る課題を解決し、電話網による通信によらず、また伝える情報を入力する煩わしい操作を行わない場合にも災害情報を伝えることのできる通信端末、通信端末から送られた災害情報を受けて管理する災害センタ装置及び災害情報管理システムを提供することを目的とする。
【課題を解決するための手段】
【０００５】
本発明に係る通信端末は、情報を入力するための入力手段と、予め設定された情報或いは前記入力手段により入力された情報に基づいて、送信情報を作成する送信情報作成手段と、電力線とコンタクトするためのコンタクト部と、電力線とコンタクトした場合に前記送信情報作成手段により作成された送信情報を電力線を介して送信する送信部とを具備することを特徴とする。
【０００６】
本発明に係る通信端末では、前記情報には安否情報・住所情報が含まれることを特徴とする。
【０００７】
本発明に係る災害センタ装置は、電力線から到来する信号を受信して災害情報を取り出す検出手段と、この検出手段により取り出された災害情報をデータベースへ記憶する災害情報制御手段とを具備することを特徴とする。
【０００８】
本発明に係る災害センタ装置では、電力線から到来する信号を受信して災害情報を取り出す検出手段と、この検出手段により取り出された災害情報について入力手段により入力されたものが含まれるかに基づきスクリーニングを行うスクリーニング手段と、スクリーニングされた災害情報をデータベースへ記憶する災害情報制御手段とを具備することを特徴とする。また、前記スクリーニング手段は、災害情報が入力手段により入力されたものが含まれない場合に、不確実情報とすることを特徴とする。
【０００９】
本発明に係る災害情報管理システムは、災害情報を入力するための入力手段と、予め設定された災害情報或いは前記入力手段により入力された災害情報に基づいて、送信情報を作成する送信情報作成手段と、電力線とコンタクトするためのコンタクト部と、電力線とコンタクトした場合に前記送信情報作成手段により作成された送信情報を電力線を介して送信する送信部とを具備することを特徴とする通信端末と、前記通信端末から送られ、電力線を介して到来する信号を受信して災害情報を取り出す検出手段と、この検出手段により取り出された災害情報をデータベースへ記憶する災害情報制御手段とを具備する災害センタ装置とを具備することを特徴とする。
【００１０】
本発明に係る災害情報管理システムでは、災害情報を入力するための入力手段と、予め設定された災害情報或いは前記入力手段により入力された災害情報に基づいて、送信情報を作成する送信情報作成手段と、電力線とコンタクトするためのコンタクト部と、電力線とコンタクトした場合に前記送信情報作成手段により作成された送信情報を電力線を介して送信する送信部とを具備することを特徴とする通信端末と、前記通信端末から送られ、電力線を介して到来する信号を受信して災害情報を取り出す検出手段と、この検出手段により取り出された災害情報について入力手段により入力されたものが含まれるか基づきスクリーニングを行うスクリーニング手段と、スクリーニングされた災害情報をデータベースへ記憶する災害情報制御手段とを具備する災害センタ装置とを具備することを特徴とする。また、前記スクリーニング手段は、災害情報が入力手段により入力されたものが含まれない場合に、不確実情報とすることを特徴とする。
【発明の効果】
【００１１】
本発明によれば、情報を電力線を介して送信するので、電話網が輻輳状態においても情報を伝えることができ、予め設定された災害情報或いは入力手段により入力された災害情報に基づいて送信情報を作成するので、伝える情報を入力する煩わしい操作を行わない場合にも災害情報を伝えることが可能となる。
【発明を実施するための最良の形態】
【００１２】
本発明では、電力線とコンタクトした場合に前記送信情報作成手段により作成された送信情報を電力線を介して送信する送信部を有し、また、電力線から到来する信号を受信して災害情報を取り出す検出手段を有することにより電話網によらず災害情報を伝えるという目的を達成したものである。また、予め設定された災害情報或いは入力手段により入力された災害情報に、入力手段による入力の有無情報を付加して送信情報を作成する送信情報作成手段を備えるので、伝える情報を入力する煩わしい操作を行わない場合にも災害情報を伝えるようにする目的を達成したもののである。
【実施例１】
【００１３】
以下添付図面を参照して、本発明に係る災害時用端末、災害時用センタ装置及び災害情報管理システムの実施例を説明する。図１には、本発明に係る災害時用端末の実施例を示すブロック図が示されている。この災害時用端末は、制御部１０に、表示部１１とキー操作部１２、メモリ１３、送信部１４が接続された構成である。送信部１４には、家庭用のＡＣ１００Ｖのコンセントに差し込むコンタクト部としてのコネクタ１５が接続されている。また、災害時用端末には、電池を含む電源部１６が備えられており、電源部１６から各部へ電力が供給されている。
【００１４】
メモリ部１３には、図２に示すような送信用情報が記憶されている。つまり、この災害時用端末毎に固有のＩＤ（例えば、複数桁の数字）と、現在位置情報と安否情報及び人数情報である。現在位置情報としては、自宅住所情報と指定されている避難所の住所情報とが予め記憶されており、安否情報として、「無事」と「要救助」という情報が予め記憶されており、人数として当該住居に住む人の人数（この例では、３名）が予め記憶されている。現在位置情報の自宅住所情報、安否情報としての「要救助」を示す情報の前に付加されている黒丸は、情報選択のフラグを示す。従って、この状態では、現在位置情報は自宅住所情報となっており、安否情報は「要救助」となっている。各情報エリアにはこれ以外の情報（上記以外の住所やより具体的な安否情報）を書き込み可能となっている。上記以外の住所やより具体的な安否情報を書き込むために、キー操作部１２には図３に示すように、数字キーが備えられており、所謂マルチタップ方式等で文字入力が可能である。
【００１５】
キー操作部１２には図３に示すように、数字キー以外に、カーソル移動キーＣと決定キーＹが備えられている。コネクタ１５にはコンセントに差し込まれて電力線とコンタクトした場合に、抵抗変化や容量変化等により電力線とのコンタクトを検出して制御部１０へ通知する検出部が備えられている。制御部１０は、図４に示されるフローチャートに対応するプログラムにより動作を行うので、以下このフローチャートを参照して動作を説明する。
【００１６】
制御部１０は、キー入力がなされたかを検出しており（Ｓ１１）、キー入力があるとキー入力された災害情報をメモリ１３に書き込むと共に表示部１１に必要な表示を行う（Ｓ１２）。制御部１０は災害情報を入力する画面として表示部１１に、例えば図５に示されるような画面１１Ａを表示する。この画面１１Ａにおいては、第１行目に示される「現在地情報」、第２行目に示される「安否情報」、第３行目に示される「人数」情報を入力可能である。いずれの情報を入力するかについて行カーソルＳが表示されており、図５の例では「現在地情報」を入力する画面となっている。行カーソルＳの画面１１Ａにおける上下方向へ移動については、図３に示したカーソル移動キーＣを操作して行う。
【００１７】
第１行目に示される「現在地情報」においては、自宅住所情報と避難所住所情報が既に登録され、このいずれかを選択するためカーソル移動キーＣを操作し、項目カーソルＫを自宅住所情報と避難所住所情報のいずれかの先頭に切り換え表示し、決定キーＹを操作して入力を行うことができる。また、項目カーソルＫを「その他」の領域へ移動させて、数字キーを用いて任意の住所を入力することが可能である。第２行目に示される「安否情報」については、「無事」と「要救助」という情報が予め記憶され、このいずれを「現在地情報」の場合と同様に選択できる。また、「安否情報」に関しても項目カーソルＫを「その他」の領域へ移動させて、数字キーを用いて任意の内容を入力することも可能である。第３行目に示される「人数」情報については、数字キーを用いて任意の人数を入力するが可能である。
【００１８】
図４に示されるフローチャートにおいてステップＳ１２の処理を終えると、制御部１０は、ステップＳ１１へ戻ってキー入力がなされたかを検出し（Ｓ１１）、キー入力がなければ電力線に接続されたかをコネクタ１５の検出部の通知を受けて検出し（Ｓ１３）、接続されていなければステップＳ１１へ戻る。ステップＳ１３における検出の結果、接続されていることが検出された場合には、このときから所定時間前以降にキー操作がない場合で、安否情報として「無事」と「要救助」のいずれも登録されていない場合には「要救助」を安否情報として、その他の災害情報（現在地情報、人数）についてはメモリ１３にデフォルトで登録された情報を採用し、所定時間前以降のキー操作の有無を作成して送信する（Ｓ１４：送信情報作成手段）。斯して、単にコネクタ１５をコンセントへ差し込むだけで、「要救助」と最低必要な災害情報が送信され、情報入力操作ができない状態の人でも容易に必要情報を送ることができる。また、無事な人は最低でも、安否情報を無事とする操作を行うことで、無事であることの情報が送られる。
尚、ここでは安否情報は「要救助」をデフォルトとして扱っているが、電力線への接続操作が行える状況にあると解釈して「無事」として扱っても良い。
【００１９】
上記にて送信される情報は図８に示すようであり、黒丸により示すフラグが付加されている情報が、所定時間前以降のキー操作の有を示す。ステップＳ１４に続いて、送信後所定時間（この所定時間は、順次変更して良い）経過を検出し（Ｓ１５）、ＹＥＳとなると再びステップＳ１４における処理にて災害情報と所定時間前以降のキー操作の有無を作成して送信する。斯して、所定時間毎に送信が行われ、送信信号のコリジョン（衝突）の対策とされる。
【００２０】
以上の通りの災害時用端末から情報を受け取る災害時用センタ装置は、図６に示されるように構成され、災害時用端末と災害時用センタ装置は、災害情報管理システムを構成している。災害時用センタ装置は、パーソナルコンピュータ等により構成される中央処理装置２０にデータベース２１と表示部２２と、キーボードやマウスなどにより構成される入力部２３と、電力線２５に接続された受信部２４が接続されている。
【００２１】
この災害情報管理システムは例えば市町村のシステムであり、データベース２１には、例えば図７に示される如く地区毎に災害時用端末にユニークに割り当てたＩＤに対応させて、人数の情報、自宅住所及び避難所住所、更に安否情報が予め記憶されている。例えば、災害時用端末に情報を入力する際にデータベース２１にも情報を入力する。現在所在地としては、図７に示されるように先頭部にフラグとして黒丸を付加してある自宅住所が選択され、安否情報は「無事」となっている。
【００２２】
中央処理装置２０は、図９に示されるフローチャートに対応するプログラムにより動作を行うので、以下このフローチャートを参照して動作を説明する。中央処理装置２０は、受信部２４にて受信がなされるのを待ち受けており（Ｓ２１）、情報が到来するとこれを取り出していずれかの情報に操作有りのフラグがセットされているかを検出する（Ｓ２２：検出手段）。例えば、図８に示されるような黒丸により示すフラグが安否情報に係る「要救助」にセットされている場合には、ステップＳ２２においてＹＥＳへ分岐し、送られてきた情報を確実情報としてデータベース２１に記憶すると共に対応する表示を行う（Ｓ２３：災害情報制御手段）。データベース２１において、エントリー欄の最後尾に図７に示すように「確」が付されて登録される。
【００２３】
ステップＳ２２において、いずれの情報にも操作有りのフラグがセットされていないことを検出するとＮＯへ分岐して、到来情報に対し不確実の情報を付加してデータベース２１に記憶すると共に対応する表示を行う（Ｓ２４：災害情報制御手段）。データベース２１において、エントリー欄の最後尾に図７に示すように「確」が「不」として登録される。このようにステップＳ２３とステップＳ２４における中央処理装置２０の処理により、中央処理装置２０は、取り出された災害情報について入力手段（図１のキー操作部１２）により入力されたものであるかに基づきスクリーニングを行うスクリーニング手段を構成する。このスクリーニングの処理により、慌てたり操作を忘れるなどして何等情報の入力操作を行わずに災害情報送信がなされ他場合に、情報の精度を査定して管理可能となっている。
【００２４】
ステップＳ２３とステップＳ２４における表示では、例えば、図１０に示される通りに地図に地区と丸と三角による表示がなされる。丸は無事を示し、三角は要救助を示す。白抜き三角は確実な情報を示し、黒塗り三角は確実な情報を示す。黒塗り丸が無いのは、情報入力操作がなければ「要救助」とされて送信がなされるためである。図１０に示されるような表示が行われた状態において、丸と三角による表示のいずれかをマウスでクリックすることにより、それに対応する災害情報がデータベース２１から読み出されて図１１に示されるように表示される。この図１１に示す例は、図８に示す情報が災害情報がデータベース２１に登録され、図１０では白抜き三角として表示されたものをマウスでクリックした場合に対応する。このように、表示部２２には地図と安否情報と情報の確実・不確実が一目で分かるように表示され、被害の把握などに便利である。なお、データベース２１の情報は、電話や他のシステム等から得られる情報により書き替えることができ、確実な情報を増やすように使用される。
【００２５】
また、本システムと災害時の対応について総合的管理するシステムとを連動させることも考えられる。例えば、避難所の住所情報を利用して、避難所へ避難している人数を把握して、避難所への救援物資の配分を決定するデータとして使用することも可能である。
【図面の簡単な説明】
【００２６】
【図１】本発明に係る通信端末の実施例を示すブロック図。
【図２】本発明に係る通信端末の実施例におけるメモリ部に記憶されている送信用情報の一例を示す図。
【図３】本発明に係る通信端末の実施例におけるキー操作部の構成を示す図。
【図４】本発明に係る通信端末の実施例における動作を説明するためのフローチャート。
【図５】本発明に係る通信端末の実施例において表示部に表示される災害情報を入力する画面の一例を示す図。
【図６】本発明に係る災害センタ装置の実施例を示すブロック図。
【図７】本発明に係る災害センタ装置の実施例におけるデータベースに記憶されている災害情報の一例を示す図。
【図８】本発明に係る通信端末の実施例において送信される災害情報の一例を示す図。
【図９】本発明に係る災害センタ装置の実施例における動作を説明するためのフローチャート。
【図１０】本発明に係る災害センタ装置の実施例における表示部に表示される情報の一例を示す図。
【図１１】本発明に係る災害センタ装置の実施例における表示部に表示される情報の一例を示す図。
【符号の説明】
【００２７】
１０  制御部
１１  表示部
１２  キー操作部
１３  メモリ
１４  送信部
１５  コネクタ
１６  電源部
２０  中央処理装置
２１  データベース
２２  表示部
２３  入力部
２４  受信部
２５  電力線
【図１】
2007235325.tif 000003
【図２】
2007235325.tif 000004
【図３】
2007235325.tif 000005
【図４】
2007235325.tif 000006
【図５】
2007235325.tif 000007
【図６】
2007235325.tif 000008
【図７】
2007235325.tif 000009
【図８】
2007235325.tif 000010
【図９】
2007235325.tif 000011
【図１０】
2007235325.tif 000012
【図１１】
2007235325.tif 000013